【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
遊技機構成部材を収容可能な第１ケース体を、ベース部に重ねて固定すると共に、更にその第１ケース体に重ねて、別の遊技機構成部材を収容可能な第２ケース体を配置し、それら第１ケース体、第２ケース体及びベース部を一体に固定した遊技機において、
前記第１ケース体に形成され、前記第１ケース体と前記第２ケース体との重ね合わせ方向であるケース重ね合わせ方向で、前記第１ケース体を貫通したケース貫通空間を内側に有する突部挿通部と、
前記ベース部及び前記第２ケース体の一方に設けられて前記ケース貫通空間に向かって突出しかつ先端部が前記ベース部及び前記第２ケース体の他方に固定されたケース挿通突部を備え、
前記ケース挿通突部と前記第２ケース体とによって前記ベース部に対する前記第１ケース体の移動を規制したことを備えことを特徴とする遊技機。
【手続補正２】
【補正対象書類名】明細書
【補正対象項目名】０００８
【補正方法】削除
【補正の内容】
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２２
【補正方法】変更
【補正の内容】
【００２２】
（付記）本発明の更に好ましい態様や追加的構成要件を以下に列挙する。
（１）ベース部に対して第１ケース体を、ケース重ね合わせ方向と直交した第１直交方向に案内するスライドガイド部と、その案内された第１ケース体に当接して第１直交方向で第１ケース体を位置決めする位置決めリブと、第１ケース体を位置決めリブに向けて移動する過程で弾性変形しかつ第１ケース体が位置決めリブに当接したときに復元して第１ケース体を係止する係止爪とを備えた構成としてもよい。これにより、ベース部と第１ケース体とを重ね合わせる際に、スライドガイド部によって案内され、位置決めリブによって位置決めされる。また、係止爪は、第１ケース体を位置決めリブに向けて移動する過程では弾性変形し、第１ケース体が位置決めリブに当接したときに復元して第１ケース体を係止するので容易に作業が行える。
【手続補正１６】
【補正対象書類名】明細書
【補正対象項目名】００２３
【補正方法】変更
【補正の内容】
【００２３】
（２）第１ケース体及びベース部の互いの重ね合わせ面には、第１ケース体及びベース部の一方の壁部を貫通した連結孔と、他方の壁部から連絡孔に向かって突出し、先端部が第１直交方向に屈曲した連結フックとが形成され、第１ケース体と位置決めリブとを第１直交方向で離した位置で第１ケース体をベース部に重ね合わせたときに、連結フックが連結孔に挿入されると共に、第１ケース体を位置決めリブ側に移動したときに、連結フックの先端部が連結孔の奥部に係止して第１ケース体がベース部に対してケース重ね合わせ方向で離脱不能に固定される構成としてもよい。これにより、第１直交方向のうち第１ケース体が位置決めリブ側に移動したときに第１ケース体とベース部とが係止される。また、第１直交方向のうち第１ケース体が位置決めリブと対向する側に移動したときには、第１ケース体とベース部との係止が解除される。これにより、ベース部と第１ケース体とを容易に固定することができ、また、その固定を容易に解除することができる。
【手続補正１７】
【補正対象書類名】明細書
【補正対象項目名】００２４
【補正方法】変更
【補正の内容】
【００２４】
（３）第１ケース体は、突部挿通部における内側面がケース挿通突部に当接することで、連結フックを連結孔に挿抜可能な連結準備位置に位置決めされる構成としてもよい。これにより、連結フックを連結孔に挿抜可能な連結準備位置に容易に位置決めすることができ、ベース部と第１ケース体との固定及び解除をスムーズに行うことが可能となる。
【手続補正１８】
【補正対象書類名】明細書
【補正対象項目名】００２５
【補正方法】変更
【補正の内容】
【００２５】
（４）連結孔及び連結フックは、複数備えられかつ、ベース部に対して第１ケース体が正規の位置に配置された場合にのみ全ての連結孔に全ての連結フックが挿入可能になるように配置された構成としてもよい。これにより、ベース部に対して第１ケース体が正規の位置に配置されない場合には、ベース部と第１ケース体との重ね合わせ面に複数備えた連結フックのうちの何れかの連結フックが連結孔に挿入されないので、ベース部と第１ケース体との重ね合わせ位置の間違いを防止することが可能となる。また、ベース部と第１ケース体とを固定する連結孔及び連結フックを複数備えたので、第１ケース体とベース部との間にかかる自重や振動等による負荷を分散することができる。
【手続補正１９】
【補正対象書類名】明細書
【補正対象項目名】００２６
【補正方法】変更
【補正の内容】
【００２６】
（５）第１ケース体と位置決めリブとの互いの当接面には、第１ケース体及び位置決めリブの一方の壁部を貫通したスライド結合孔と、他方の壁部から突出し、第１直交方向でスライド結合孔に挿入されたスライド係合突部とが備えられ、スライド結合孔へのスライド結合突部の挿入により、第１ケース体がベース部に対してケース重ね合わせ方向で離脱不能に固定された構成としてもよい。これにより、スライド結合孔にスライド係合突部が挿入されると、第１ケース体がベース部に対してケース重ね合わせ方向で離脱不能に固定可能となる。また、第１ケース体とベース部との間にかかる自重や振動等による負荷を、スライド結合孔及びスライド係合突部によっても支持することが可能となる。
【手続補正２０】
【補正対象書類名】明細書
【補正対象項目名】００２７
【補正方法】変更
【補正の内容】
【００２７】
（６）第２ケース体及び第１ケース体には、互いに固定されるケース間固定部が備えられた構成としてもよい。これにより、第２ケース体と第１ケース体とを固定することができる。
（７）ケース間固定部は、第２ケース体及び第１ケース体の一方の壁部から突出した保持突部と、その保持突部の側面に形成されて、ケース重ね合わせ方向及び第１直交方向の両方に直交する第２直交方向に開放したケース間係合孔と、第２ケース体及び第１ケース体の他方の壁部から第２直交方向に突出して、ケース間係合孔に挿入されたケース間係合突部とからなる構成としてもよい。これにより、第１ケース体と第２ケース体とを、ケース重ね合わせ方向及び第１直交方向の両方に直交する第２直交方向に移動させることで係止されるようにすれば、第２ケース体とベース部及び第１ケース体との係止が緩んで外れる虞を低減することができる。
【手続補正２１】
【補正対象書類名】明細書
【補正対象項目名】００２８
【補正方法】変更
【補正の内容】
【００２８】
（８）ベース部及び第２ケース体の一方に設けられて他方に向かって突出し、他方に固定されると共に、第１ケース体の側方に配置されたケース固定突部を備えた構成としてもよい。これにより、ベース部と第２ケース体とを突部挿通部を挿通したケース挿通突部だけでなく、ケース固定突部によっても固定したので、第１ケース体とベース部との間にかかる自重や振動等による負荷を分散することができるとともに、より確実にベース部と第２ケース体とを固定することが可能となる。
【手続補正２２】
【補正対象書類名】明細書
【補正対象項目名】００２９
【補正方法】変更
【補正の内容】
【００２９】
（９）第１ケース体には、内部空間を比較的広い大空間部屋と比較的狭い小空間部屋とに区画する空間区画壁が備えられ、突部挿通部は、第１ケース体のうち小空間部屋をケース貫通空間が貫通するように形成された構成としてもよい。これにより、突部挿通部を空間区画壁で囲んだので、突部挿通部の強度を強くすることができる。また、第１ケース体のうち大空間部屋には第１ケース体に収容される遊技機構成部材が配置可能となるので、遊技機構成部材を大空間部屋の内壁によって位置決めすることが可能となる。
【手続補正２３】
【補正対象書類名】明細書
【補正対象項目名】００３０
【補正方法】変更
【補正の内容】
【００３０】
（１０）遊技機構成部材は遊技機を電気的に作動させる電気的遊技部材であり、ベース部は第１ケース体、第２ケース体の少なくともどちらか一方の電気的遊技部材と接続して作動する電気的遊技部材を覆うカバー体の一部からなり、第１ケース体に収容される電気的遊技部材は少なくとも第２ケース体に収容される電気的遊技部材と接続されて作動する構成としてもよい。これにより、カバー体に覆われた電気的遊技部材は、第１ケース体及び第２ケース体に収容された電気的遊技部材の少なくとも一方と接続されることにより作動させることができる。また、第１ケース体に収容された電気的遊技部材は、第２ケース体に収容された電気的遊技部材を接続することで作動させることができる。これにより、相互に制御し合う電気的遊技部材を、遊技機本体に隣接して配置することができる。なお、電気的遊技部材は、液晶パネルや図柄制御基板等の基板に限られず、例えばモータやソレノイド等の電気的駆動部品であってもよい。
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】変更
【補正の内容】
【００３２】
（１１）突部挿通部は、ケース貫通空間の一部を第１ケース体の側面に開放した溝形状になっている構成としてもよい。これにより、第１ケース体とベース部との組み合わせ作業が容易に行える。
【手続補正２６】
【補正対象書類名】明細書
【補正対象項目名】００３３
【補正方法】変更
【補正の内容】
【００３３】
（１２）ケース挿通突部の先端部は螺子によって固定された構成としてもよい。これにより、ケース挿通突部を固定螺子により螺子止めしてベース部と第２ケース体とを固定して容易に固定することができ、また、容易に取り外すこともできる。
【手続補正２７】
【補正対象書類名】明細書
【補正対象項目名】００４６
【補正方法】変更
【補正の内容】
【００４６】
表示装置３２は、枠形構造をなした装飾枠３３の後方に、例えば、１５インチの液晶ディスプレイパネル３０（以下、単に「液晶パネル３０」という）を備えた構造になっている。そして、遊技板１１の後面１１Ｒに配置された後述する液晶ケース体５０（図４参照）によって、液晶パネル３０の後面が覆われている。以上が遊技領域Ｒ１に備えた各種役物に関する説明である。
【手続補正２８】
【補正対象書類名】明細書
【補正対象項目名】００４８
【補正方法】変更
【補正の内容】
【００４８】
図３に示すように、遊技板１１の後面１１Ｒには、各種電子機器を収容した複数のケース体５０，６０，７０，８０が取り付けられている。詳細には、矩形板状の液晶パネル３０を収容した液晶ケース体５０と、図柄制御基板９１及び音声制御基板９２（図１０参照）を収容した第１ケース体６０と、サブ制御基板９５を収容した第２ケース体７０（図１２参照）とが前後方向で重なった状態で取り付けられており（図１７参照）、これら各ケース体５０，６０，７０の下方に、メイン制御基板（図示せず）を収容したメイン制御基板ケース体８０が取り付けられている。これら各ケース体５０，６０，７０，８０は、何れも透明な樹脂で構成されており、内部が視認可能となっている。また、これらの各ケース体５０，６０，７０，８０は、機構板４９の矩形開口４４の内側に配置され、図示しない樹脂製カバー８４Ｃによって後方から覆われている。そして、各電子機器がそれぞれ各ケース５０，６０，７０，８０に収容されたことで、各電子機器に直接触れることなく組み付け作業を行うことができ、各電子機器の破損を防止できる。なお、図柄制御基板９１、音声制御基板９２及びサブ制御基板９５が本発明の「遊技機構成部材」に相当する。図柄制御基板９１は、サブ制御基板９５より送信される制御信号を受信して作動し表示装置３２を制御している。
【手続補正２９】
【補正対象書類名】明細書
【補正対象項目名】００６２
【補正方法】変更
【補正の内容】
【００６２】
また、第１ケース体６０の前側壁部６１Ａには、その前面側に複数の連結フック６７が設けられている。連結フック６７は、図８に示すように、前側壁部６１Ａから前方に突出し先端がクランク状に右側に曲がっている。この連結フック６７は、上記したベース部５２Ｅの連結孔５７に対応する位置に配置され、連結フック６７の全体が連結孔５７に挿入可能となっている。なお、連結孔５７はベース部５２Ｅ上で非対称に配置されているので、第１ケース体６０をベース部５２Ｅに取り付ける際に、第１ケース体６０がベース部５２Ｅに対して正規の位置に配置されていない場合には、全ての連結フック６７が連結孔５７に挿入されない構造になっている。また、第１ケース体６０が「連結準備位置」に配置されると、全ての連結フック６７が連結孔５７に挿抜可能となる。
【手続補正３０】
【補正対象書類名】明細書
【補正対象項目名】００７０
【補正方法】変更
【補正の内容】
【００７０】
さて、第１ケース体６０の後方には、第２ケース体７０が取り付けられる。図７に示すように、第１ケース体６０の後側壁部６２Ａのうち上下のハーネス接続孔６０Ｃの間で右寄り位置は第２ケース体設置部６２Ｓとなっている。第２ケース体設置部６２Ｓの左上部分は突部挿通部６５の挿通部開口６５Ａに隣接し、第２ケース体設置部６２Ｓの右上部分はカバー体５２から延びるケース固定突部５６の先端に隣接している（図１４参照）。また、第２ケース体設置部６２Ｓの下端部分には、２つの保持突部６６，６６が後方に向かって突出している。そして、各保持突部６６の上面には、上方に向かって開放したケース間係合孔６６Ａが形成されている。このケース間係合孔６６Ａには、後述する第２ケース体のケース間係合突部７６が挿入され、第１ケース体６０と第２ケース体７０とを係止可能にしている。なお、後側壁部６２Ａのうち第２ケース体設置部６２Ｓ以外の部分には、複数の通気孔６２Ｚが形成されている。通気孔６２Ｚにより、第１ケース体６０の内の図柄制御基板９１及び音声制御基板９２が発する熱は外部に排出可能になっている。
【手続補正３１】
【補正対象書類名】明細書
【補正対象項目名】００７２
【補正方法】変更
【補正の内容】
【００７２】
第２ケース体７０のうち下端部には、下方に向かって突出した２つのケース間係合突部７６，７６が設けられている。ケース間係合突部７６は、第２ケース体７０のうち前側の壁面と面一となる面を有しており、上記した第１ケース体６０のケース間係合孔６６Ａに上方から挿入して係合している。
【手続補正３２】
【補正対象書類名】明細書
【補正対象項目名】００７７
【補正方法】変更
【補正の内容】
【００７７】
連結フック６７が連結孔５７に挿入した状態で、第１ケース体６０をベース部５２Ｅに対して左方から右方にスライドさせると、連結フック６７の先端部は連結孔５７の奥部に係止して第１ケース体６０がベース部５２Ｅに対して上下方向及び前後方向で離脱不能に固定される。これにより、第１ケース体６０は、各連結フック６７によって支えられることになる。
【手続補正３３】
【補正対象書類名】明細書
【補正対象項目名】００８１
【補正方法】変更
【補正の内容】
【００８１】
次に、第２ケース体７０をベース部５２Ｅ及びベース部５２Ｅに取り付けた第１ケース体６０に組み付ける際には、図１５に示すように、第２ケース体７０を第１ケース体６０に対して上方から下方に向けてスライドさせて、第１ケース体６０のケース間係合孔６６Ａに第２ケース体７０のケース間係合突部７６を挿入して係合する。
【手続補正３４】
【補正対象書類名】明細書
【補正対象項目名】００８８
【補正方法】変更
【補正の内容】
【００８８】
そして、液晶ケース体５０に収容された液晶パネル３０は、第１ケース体６０に収容された図柄制御基板９１によって制御される。図柄制御基板９１は、第２ケース体７０に収容されたサブ制御基板９５に制御されて作動している。本実施形態のように、各ケース５０，６０，７０に収容された電気的遊技部材（液晶パネル３０，図柄制御基板９１，サブ制御基板９５）を重ねて配置すれば各電気的遊技部材の間を繋ぐケーブルを短くすることができるとともに、各ケース５０，６０，７０を隣接して配置できるので配置スペースもコンパクトにすることが可能となる。
【手続補正３５】
【補正対象書類名】明細書
【補正対象項目名】００９９
【補正方法】削除
【補正の内容】
【手続補正３６】
【補正対象書類名】明細書
【補正対象項目名】０１００
【補正方法】変更
【補正の内容】
【０１００】
１０    パチンコ遊技機
１１    遊技板
３０    液晶パネル
５０    液晶ケース体
５２Ｅ    ベース部
５３Ａ    スライドガイド部
５３Ｂ    位置決めリブ
５３Ｃ    スライド結合孔
５４    係止爪
５５    ケース挿通突部
５６    ケース固定突部
５７    連結孔
６０    第１ケース体
６０Ｌ    大空間部屋
６０Ｍ    小空間部屋
６０Ｎ    空間区画壁
６５    突部挿通部
６５Ｃ    ケース貫通空間
６６    保持突部
６６Ａ    ケース間係合孔
６７    連結フック
６９    スライド係合突部
７０    第２ケース体
７５    突部固定部
７６    ケース間係合突部
９１    図柄制御基板（遊技機構成部材）
９２    音声制御基板（遊技機構成部材）
９５    サブ制御基板（遊技機構成部材）